(57)【要約】【目的】コーヒー粉末を収容する袋体を一対の支持体でコーヒーカップ上に支持するようにしたコーヒーの濾過器において、上記袋体を抽出するコーヒー液面に接触しないように支持する。【構成】袋体（２）の前後の面（２ａ，２ｂ）に止着する支持体（３）の固定片（１２）の下端部から延長支持片（１３）を下に向けて延設し、この延長支持片の下端部から吊り腕片（１１）を上に向けて延設して、この吊り腕片の上端部に設ける掛止片（９）をカップの縁（４ａ）に掛止めることで、前記袋体（２）を前記延長支持片（１３）の長さに分高く支持する一方、該延長支持片の外への広がりによって袋体の底部（１５）を開きながら底上げして高さを維持する。【選択図】        図６
2007000480.tif 000002
【特許請求の範囲】
【請求項１】
前後の面を寄り合わせ、この間にコーヒー粉末を収納するフィルタ製の袋体と、この袋体の前記前後の面にそれぞれ止着し、カップの縁に掛止め支持する一対の支持体からなるコーヒーの濾過器において、
前記支持体は、前記袋体の前後の面にその各下端との間に所要の間隔を置いて一体に止着する固定片と、該固定片の下端部から前記前後の面に添わせ、その下端方向に向けて延設する延長支持片と、該延長支持片の下端部から前記固定片に沿って上方に向け延設する吊り腕片と、該吊り腕片の上端部から吊り腕片に沿って下方に向け折り返す如く延設する掛止片とから構成し、未使用時には前記支持体を扁平にたゝんで前記袋体の前後の面に添わせ、使用時には前記支持体の各掛止片を前記吊り腕片と延長支持片と共に前記袋体の前後の面から引き離し方向に伸長させ、前記カップの縁に掛止めると同時に該伸長によって前記袋体の前後の面を開き、袋体の開口部を開放すると共に袋体の底部を引き上げることを特徴としたコーヒーの濾過器。
【請求項２】
請求項１の記載において、固定片は袋体の前後の面に対して左右に間隔をおいて並行する左右の２片から構成すると共に、該２片の各下端部から更に左右対の延長支持片を各延設し、また該延長支持片間に渡す連結部から前記左右の延長支持片及び固定片の間を通して上向きに吊り腕片を延設し、更に該吊り腕片の上端部から前記左右の固定片及び左右の延長支持片を囲んで環状に形成される掛止片を延設してなることを特徴としたコーヒーの濾過器。
【請求項３】
請求項１又は２の記載において、延長支持片は下端部を袋体の底部を超えて下方に突出して設けられることを特徴としたコーヒーの濾過器。
【請求項４】
請求項１乃至３の記載において、袋体の前後の面には支持体の上部に沿って補強片を一体に止着してなることを特徴としたコーヒーの濾過器。
【請求項５】
請求項４の記載において、補強片には１若しくは複数個の縦の折り曲げ線を形成してなることを特徴としたコーヒーの濾過器。
【請求項６】
請求項４又は５の記載において、補強片は袋体の前後の面に止着される支持体の上部及び左右両側部を囲む門形に形成され、その全面を前記前後の面に一体に止着してなることを特徴としたコーヒーの濾過器。
【請求項７】
請求項１乃至６の記載において、袋体は開口部を封止して内部に所要量のコーヒー粉末を封入してなることを特徴としたコーヒーの濾過器。
【発明の詳細な説明】
【技術分野】
【０００１】
本発明は、コーヒーカップ上に直接載置してフィルタ製の袋体に収容するコーヒー粉末に湯を注ぎ込むことによって直接コーヒーカップにコーヒー液を抽出するようにしたドリップ式のコーヒーの濾過器に関する。
【背景技術】
【０００２】
一回限りの使用で捨ててしまう所謂使い捨てのコーヒー濾過器には、所要量のコーヒー粉末を収めたフィルタバッグ（袋体）をコーヒーカップ（以下、単にカップという。）内に投入して、カップ内に溜める湯に浸漬してコーヒー液を抽出するするようにした所謂侵漬型の濾過器、つまりティーバッグ形の濾過器もあるが、市販される多くの濾過器はカップの縁に掛け止めてフィルタバッグ（袋体）を支え、開口部から内部に収容するコーヒー粉末に湯を注いで濾過しながらコーヒー液をカップに溜める所謂ドリップ式のコーヒー濾過器が中心となっており、広く普及している。
【０００３】
また、このドリップ式に係る使い捨てのコーヒー濾過器にも、構造の上からカップの縁を利用して支持する中で、カップの縁から高く支持して抽出されたコーヒー液に袋体の底部が接触しないようにしたもの、つまり本来のドリップ式濾過器における構造により近い形態のものと、カップの縁を足場にしながら袋体の全体をカップ内に置いて吊り下げた状態に保持し、主として袋体の開口部を定位置に保って湯の注ぎ込みと、転倒を防止するようにした侵漬型に係るものとがあり、二分される。
【０００４】
そして、前者のドリップ式濾過器においては、カップ上に載置したとき、袋体の底部が抽出されたコーヒー液に侵漬することがないように液面位置より高く支持されるものと、カップの縁に支持させるもののコーヒー液に袋体の底部が漬る状態で支持されるものとがある。
【０００５】
この上記二者の相違は基本的に袋体を支える支持体（脚部）の構造に基因していると言うことができる。特にこの支持体の強度、支持力によって相違するものとなっている。
ドリップ式濾過器に近付けるには、カップ内に溜められるコーヒー液面に抽出過程にある袋体が漬らないようにすることが望まれるが、使い捨て型の濾過器は抽出液量が限られて比較的小型に形成されること、１回の使用で廃棄されること、等から製造コストの面と廃棄処分の面から使用材料には制約が伴っている。この意味から一般には支持体の材料として加工性や材料単価の面から厚紙等が選択されることが多い。
【０００６】
しかし、カップ一杯分のコーヒー液を抽出するにしても、支持される袋体にはコーヒー粉末に加えて５０〜１００ｃｃの湯が一度に注ぎ込まれる。これは短時間で効率的な抽出を行おうとすることによるものであるが、厚紙を材料に支持体を形成する場合にはこの重量に耐えられ、しかも安全に注入作業が行えるだけの強度が求められることになる。従って、抽出するコーヒー液の液面上に支持する構造とすることは容易ではない。
【０００７】
従来、袋体をカップ内に溜められるコーヒー液面より高く支持する濾過器として特許文献１に開示されるものがある。また、カップの縁に掛止め載置するものの袋体の底部が抽出コーヒー液に漬るタイプの濾過器として例えは特許文献２に開示されるものがある。  
【特許文献１】特公昭５９−  ３０４１１号公報。
【特許文献２】特開平１１−１７８７２０号公報。
【０００８】
上記特許文献１に記載のコーヒーの濾過器はカップに対して装着する際、支持体１０の先端の係入片部分１８をカップの内側に差し入れ、端縁部分１９をカップの外側においてこの両片でカップの縁を内外から挟み付ける構造に係る。この濾過器はカップの縁から外れにくい構造に係ると共に、袋体を中央に吊り下げた状態で一対の支持体１０で支えることから安定した支持が得られるものとなっており、且つ袋体をカップ内に溜められるコーヒー液面から高い位置に支持して抽出コーヒー液と袋体内のコーヒー粉末との再接触を断つことができるものとなっている。
【０００９】
従って、この特許文献１における濾過器は、簡易な構造でありながら本格的なレギュラーコーヒーを手軽に、且つ安全に抽出できるものとなっているが、１つの問題は支持体に多くの厚紙を要すること、そして、これに関連してやゝ大型になり商品を更に小型化する妨げることにある。
【００１０】
一方、前記特許文献２に係るドリップバッグ、つまりコーヒー濾過器は、濾過性シート材（フィルタ）により形成される袋本体２の対向する２面（前後の面）２ａ，２ｂに掛止部材３ａを止着する構造に係り、この掛止部材３ａのアーム部５の先端に備える舌片部６をカップの縁に掛け、カップの外側に添わせることでカップの開口部２２を横断するように掛け渡し装着するものとなっている。
この掛止部材３ａの装着によって袋本体２はカップの開口部中央に宙吊り状態に支持されるようになっており、袋本体２に収容するコーヒー粉末に湯を注ぎ込むことでカップにコーヒー液を溜められるようにしてある。
【００１１】
この特許文献２に記載のコーヒー濾過器は、使用に当って前述したように袋本体２の２面２ａ，２ｂに備える掛止部材３ａの舌片部６を引き出し、アーム部５を伸しながらカップの縁を跨ぐようにしてカップの外側に掛け回し、装着することから取扱が容易で、簡単に使用できる利点があるが、中でも上記掛止部材３ａを厚紙で、しかも小型に成形することにある。しかし、その反面、この厚紙であること、小型であることが原因して装着時の袋本体２は底部がカップの中に深く下り、抽出したコーヒー液に侵漬してしまう問題があることである。
【００１２】
この袋本体２のコーヒー液に対する侵漬は、構造の面からみると、袋本体２の前後の面２ａ，２ｂの高さの途中に止着する掛止部材３ａの舌片部６、つまり固定片の下端からアーム部５を延設していること、そしてこのアーム部５の上端に設ける周縁部４（掛止片）を介してカップの縁に掛け止める構造としていることにある。つまり、上記の構造から、装着したとき、前記掛止部材３ａがカップの縁に対して吊り下った状態となり、袋本体２がその先において支えられることになる結果、底部が必然的に下る構造となることによる。
【００１３】
また一方、上記構造の掛止部材３ａについてこれを厚紙としたことによって下から持ち上げる如く支持するより、引っ掛けて吊り下げるように支持する構造の方が強度の面で楽であることから選択されたことにもよる、と言うこともできる。
しかし、いずれの理由にしろ袋体の底部が下り、コーヒー液に漬るのはドリップ式のコーヒー濾過器としては好しくなく、出来るだけ液面から高い位置で支えられることが求められる。
【発明の開示】
【発明が解決しようとする課題】
【００１４】
本発明は、上述したドリップ式の使い捨てに係るコーヒー濾過器の実情に鑑み、使用材料を含む製造上のコストを抑えつつカップに対する装着時には、コーヒー粉末を収容する袋体の底部を抽出するコーヒーの液面から高い位置に支持し、抽出コーヒー液と袋体内のコーヒー粉末との接触を避けることによって本来のドリップ式のコーヒー濾過器に近づく簡易構造に係る使い捨てのコーヒー濾過器の提供を目的として開発されたものである。
【００１５】
ことに本発明は、カップに対する装着時に袋体を支持する支持体につき改善をなしたもので、厚紙等前記従来のコーヒーの濾過器で使用されている材料を使用しながら小量の材料によって小型に形成し、それでいて充分な支持力を得て安定した装着の下で安全に使用できるようにした使い捨てのコーヒー濾過器を提供しようとするものである。
【課題を解決するための手段】
【００１６】
本発明は、上述の目的を達成するため、  前後の面を寄り合わせ、この間にコーヒー粉末を収納するフィルタ製の袋体と、この袋体の前記前後の面にそれぞれ止着し、カップの縁に掛止め支持する一対の支持体からなるコーヒーの濾過器において、
前記支持体は、前記袋体の前後の面にその各下端との間に所要の間隔を置いて一体に止着する固定片と、該固定片の下端部から前記前後の面に添わせ、その下端方向に向けて延設する延長支持片と、該延長支持片の下端部から前記固定片に沿って上方に向け延設する吊り腕片と、該吊り腕片の上端部から吊り腕片に沿って下方に向け折り返す如く延設する掛止片とから構成し、未使用時には前記支持体を扁平にたゝんで前記袋体の前後の面に添わせ、使用時には前記支持体の各掛止片を前記吊り腕片と延長支持片と共に前記袋体の前後の面から引き離し方向に伸長させ、前記カップの縁に掛止めると同時に該伸長によって前記袋体の前後の面を開き、袋体の開口部を開放すると共に袋体の底部を引き上げることを特徴としたコーヒーの濾過器を提供することにある。
【００１７】
前記支持体は、本来的に剛性のない濾紙等のフィルタを素材に形成される袋体をカップの縁に装着する際に開口した状態で、しかも注がれる湯圧に耐えてしっかりした状態で支持するため、この袋体には確実な状態で止着され、組付けられることになる。
【００１８】
これについて、従来、前述特許文献２に記載される濾過器にみられるように、掛止部材の舌片部は袋本体に対してその全面で止着すると共に、この舌片部を袋本体の前後の面の略中央部に止着して一体性を図るようにしていた。
しかし、上記従来例は掛止部材と袋体、つまり支持体と袋体の一体化が図られているが、装着時に袋本体の前後の面に一体に貼着された舌片部から直接延設されたアーム部を引き伸しても袋本体は上部の開口部を開放するものの袋本体にはそれ以上の変化を生じないため、カップに装着されたとき袋本体の底部がカップの中に下り、抽出コーヒー液に侵漬するものとなっている。
【００１９】
本発明は、この問題を解決したものであり、袋体の前後の面に止着される固定片から更に下方に向けて固定片の下端部から延長支持片を延設し、この延長支持片の下端部から上向きに吊り腕片を延設したことにある。これによって、カップに装着する際に、この吊り腕片が左右に引き伸ばされると、前記延長支持片の下端部が外に引き出され、この延長支持片の上方に固定片が支持されることから自動的に袋体の高さが維持されることになる。そして、同時に上記袋体の前後の面に止着した固定片が延長支持片の引き出しによって開かれるのに伴って袋体の底部が引き上げられることになり、抽出されるコーヒー液面から離れて、コーヒー粉末の侵漬が回避されることになるのである。
【００２０】
また本発明は前記支持体につき、前記固定片は袋体の前後の面に対して左右に間隔をおいて並行する左右の２片から構成すると共に、該２片の各下端部から更に左右対の延長支持片を各延設し、また該延長支持片間に渡す連結部から前記左右の延長支持片及び固定片の間を通して上向きに吊り腕片を延設し、更に該吊り腕片の上端部から前記左右の固定片及び左右の延長支持片を囲んで環状に形成される掛止片を延設してなることを特徴としたコーヒーの濾過器を提供することにある。
【００２１】
また本発明は、前記延長支持片は下端部を袋体の底部を超えて下方に突出して設けられることを特徴としたコーヒーの濾過器を提供することにある。
【００２２】
また本発明は、前記袋体の前後の面には支持体の上部に沿って補強片を一体に止着してなることを特徴としたコーヒーの濾過器を提供することにある。
【００２３】
また本発明は、前記補強片には１若しくは複数個の縦の折り曲げ線を形成してなることを特徴としたコーヒーの濾過器を提供することにある。
【００２４】
また本発明は、前記補強片は袋体の前後の面に止着される支持体の上部及び左右両側部を囲む門形に形成し、その全面を前記前後の面に一体に止着してなることを特徴としたコーヒーの濾過器を提供することにある。
【００２５】
また本発明は、前記袋体は上部開口部を封止し、内部に所要量のコーヒー粉末を封入してなることを特徴としたコーヒーの濾過器を提供することにある。
【００２６】
上記構成される本発明濾過器は、未使用時には袋体内部にコーヒー粉末を封入した状態で前後の面を寄り添わせ、扁平な状態にたゝまれ、前後の面に止着した支持体はそれぞれの面に接面した状態に置かれる。そして、そのまゝ気密性の高い包装袋等に収納し、保管することになる。
【００２７】
上記包装袋は、コーヒー粉末の劣化を防止するためのもので、保管においてはその他の方法を自由に選択することができることは言うまでもない。
本発明濾過器を使用するに当っては、この包装袋等から取出したのち、先ず袋体の上部を切除する等して開封し、次に前後の面に止着した支持体の各掛止片を引き出して面に寄り添った吊り腕片、延長支持片の順で引き伸ばし、カップの対向する縁に達したところでこの掛止片を縁に掛け止め、カップの外側面に添わせて装着することになる。
【００２８】
上記掛止片の引き出しによる吊り腕片、延長支持片の引き伸ばしに伴って固定片が止着した袋体の前後の面が開き、これによって上部の開口部が広く開口すると同時に、この前後の面が離れるのに伴って両面の下端によって形成される袋体の底部が固定片の止着下端を基点にして内側に折れ曲り、この底部全体を未使用時の扁平な状態の位置から引き上げ上昇させることになる。
【００２９】
そして、本発明濾過器は、上記固定片の下端部より下方に延長される延長支持片を介して吊り腕片を延設する構造にしたことから、カップの縁に掛止片を係止して装着したとき袋体はこの延長支持片の長さ分高く支持されることになり、この結果上記上昇した袋体の底部は更に高い位置に支持されることになる。
【００３０】
一方、前記補強片は、この様にして袋体をカップの開口部の中間において開口した状態で保持したとき、袋体の開口姿勢を維持し、注ぎ込む湯の注入圧によって変形し、開口部が閉じたり傾いたりするのを防止することになる。この内、支持体の上部に沿って止着される補強片は、袋体の開口部の開放姿勢を維持する上で有効に作用し、支持体の左右の側部に沿って門形に形成される補強片は袋体が開口した姿勢を保持しつつ起立した姿勢を保つ上で有効に作用することになる。
【００３１】
また、上記補強片に対して縦に形成される折り曲げ線は、袋体に対して剛性を発揮しながら開口部と共に袋体全体が筒形に開くのを補助することになり、湯の注ぎ込みを容易にし、且つ湯を溜めおくのに有利になる。
【発明の効果】
【００３２】
本発明の濾過器は、上述した如くフィルタを素材に単なる袋状に形成される袋体と、この袋体の前後の面に厚紙等適度の剛性を有した素材からなる支持体のみによって形成されることから、ドリップ式の濾過器でありながら少ない材料によって、小型に形成される利点があり、材料費を含む製造コストを大幅に節減できる一方、この材料費の節約にかゝわらず、使用においてカップに装着した際には袋体の底部を高く支持し、抽出コーヒー液との接触を回避できるものとすることから使い捨てでありながら本来のドリップ式濾過器に近似した濾過器として使用できる利点がある。
【発明を実施するための最良の形態】
【００３３】
次に、本発明を更に明らかにするため、図示する実施の形態に基づき具体的に説明し、その特徴を明らかにする。
図１から図６は第１の実施の形態を示したものである。
図１は本発明に係る濾過器の未使用状態における正面図であり、図２は本発明に係る濾過器を構成する袋体から支持体を外した分解した状態の正面図である。図３は図１のＡ−Ａ線に沿って断面とした縦断左側面図であり、図４は図３の一部を拡大して示した縦断左側面図、図５はカップに装着した状態を示した使用時の斜視図、図６は同じく一部を断面とした左側面図である。
【００３４】
図面において、符号１は本発明に係るコーヒー濾過器であり、２は袋体、３はこの袋体２をカップ４の縁に掛け止め装着する際に支持手段となる支持体である。
上記袋体２は、ここでは縦長の長方形状をなす濾紙を中央部で２つに折り、その両端を上部で重ね合せにすると共に、この上部の重ね合せた縁部５と、左右の縁で重なり合う縁部６，６をそれぞれヒートシールすることで矩形の袋に形成してある。そして、内部に上縁部５をシールするに先立って所要量のコーヒー粉末７を投入し、これを封入している。
【００３５】
支持体３は、所要の剛性を有した厚紙を材料に形成してあり、袋体２の前後の面２ａ，２ｂに１個づつ取付け備えられる。
この支持体３は、図示したようにここでは矩形の厚紙を材料にして、この厚紙の周囲の部分を切り離すように切り込み８を入れることによって略矩形の枠形をなす掛止片９を形成し、この掛止片９の上部から縦方向に下方に向ってやゝ幅を狭める２つの切り込み１０，１０を入れることによって前記厚紙の中央部に縦長の吊り腕片１１を形成している。そして、この吊り腕片１１と前記掛止片９との間に固定片１２と延長支持片１３を上下に連続した状態で形成し、構成している。
【００３６】
上記支持体３の形成は、厚紙から切り抜くことによって最も低コストで製造する場合を示しており量産する場合に有利であるが、この方法に限られるものではないことは言うまでもない。
さて、厚紙に切り込み８，１０，１０を入れることによって各片を形成した支持体３は袋体２の前後の面２ａ，２ｂにそれぞれの固定片１２，１２を縦に揃えて止着することで一体化する。
【００３７】
図２は上記固定片１２，１２の止着位置を明らかにするため袋体２から支持体３を外した分解図を示したものである。１点鎖線の斜線で表示した貼付け位置１４，１４に固定片１２，１２を添わせ、貼付けるようにしている。この貼付けで支持体３は前面２ａ（後面２ｂにおいても同じ）の中央部のやゝ下がった位置に固定される。
【００３８】
上記固定片１２の下端部に連設された延長支持片１３は、前後の面２ａ，２ｂに沿って垂下し、その下端部を前後の面の下端に揃える一方、左右の下端同志を繋ぐ連設部１３ａの上縁から吊り腕片１１を上向きに延ばすことになる。そして、この吊り腕片１１を介して連続することになる掛止片９は、下端部を前記延長支持片１３の外側に置くことによってこの下端部を前後の面２ａ，２ｂの下端に略平行させることになる。
【００３９】
本発明濾過器は、上述の如く構成されるもので、未使用時には袋体２の前後の面２ａ，２ｂを寄り添わせて扁平な状態とし、この前後の面に各支持体３を添わせて濾過器１の全体が扁平となるようにして包装袋等に封入し保管することになる。
そして、使用時には密閉して保管した包装袋から取り出し、袋体２の上端を切除、或は切り開いて開口させ、次に前後の面２ａ，２ｂに備える支持体３，３を使ってカップの縁に係止させることになる。
【００４０】
図５並びに図６は支持体３によってカップ４に袋体２を支持させた濾過器の装着状態を示したものである。
濾過器１の装着は、袋体２の上端を切り開いて開口させ、その後前後の面２ａ，２ｂに備える支持体３のそれぞれの掛止片９を面２ａ，２ｂから引き離すように外に向けて引き出し、この操作を通して吊り腕片１１と延長支持片１３を引き出し、支持体３の全体を前後方向に引き延ばして、この掛止片９がカップ４の縁４ａに達したところで掛止め、カップ４の開口部に渡るように装着するのである。
【００４１】
この装着において上記支持体３の全体が引き延ばされると、掛止片９の上端部に接続した吊り腕片１１が垂直な姿勢から水平な姿勢に変換しながら延び出すことから、この吊り腕片１１の下端部に接続する延長支持片１３が持ち上げられて固定片１２を押上げられ、これに伴い袋体２を上昇させることになる。
【００４２】
図６は、固定片１２が押上げられ、これに伴って袋体２が上昇する姿を示したものである。前記吊り腕片１１が水平な姿勢に近付くように引き延ばされた状態で掛止片９をカップの縁４ａに掛止めると、扁平な状態に折りたゝまれたときの掛止片９の位置に対して延長支持片１３、そして固定片１２の位置が上方に移動することになるため、その分袋体２は上昇することになる。
【００４３】
その一方、上記袋体２の上昇と共に、吊り腕片１１の引っ張りによって延長支持片１３が前後に引き出され、固定片１２を介して前後の面２ａ，２ｂを引き離し方向に引っ張ることから、この前後の面２ａ，２ｂは上記固定片１２が止着するその下端１２ａを基点にして内側に折れ曲り、実質的に袋体２の底部１５を上昇させることになる。
【００４４】
つまり、本発明濾過器は、袋体２の前後の面２ａ，２ｂに止着する固定片１２の下端部からこの面に止着されない延長支持片１３を垂下延設し、且つこの延長支持片１３の下端部から装着時に水平な姿勢に変る吊り腕片１１を延設する構造としたことによって、支持体３による装着時に吊り腕片１１による吊り上げと、延長支持片１３の長さ分の持ち上げとによってカップの縁４ａに対して高く支持することができるものとなっており、更には袋体２の底部１５を引き上げて自動的にこの底部１５と抽出コーヒー液面１６との接触を回避することができるものとしたのである。
【００４５】
そして、更に本発明は、前記延長支持片１３を延設する固定片１２について袋体２の前後の面２ａ，２ｂの略中央部に止着する構造とすることによって厚紙からなる固定片１２によってフィルタ製の袋体２を補強し、装着時に筒形に開いた袋体２を支持すると同時に、開放した開口部１７の開放状態を維持し、湯の注ぎ込みを円滑に、しかも安全に行えるようにしたのである。
【００４６】
この様にしてなる本発明濾過器は、カップ４に対して上述の如く装着したところで、開口部１７を通して袋体内部のコーヒー粉末７に湯を注いで袋体で濾過したコーヒー液をカップに溜めることになる。このとき、袋体２はカップ４に対して高い位置に支持され、更に底部１５の引き上げによってカップの縁４ａに近い位置に支持されるが、注ぎ込む湯はこの底部１５が漬らない程度に注ぎ込むようにすることは言うまでもない。
【００４７】
次に、図７は本発明に係るコーヒーの濾過器の第２の実施の形態を示したものである。
この実施の形態は、前述した濾過器１の袋体２の前後の面２ａ，２ｂに厚紙で形成した補強片１８を貼着し、使用時に湯の注ぎ込みによって袋体２が変形するのを防止するようにした一例である。尚、図面中、前記実施の形態において説明した部分と同一の部所については同一の符号を付してその説明を省略する。以後のその他の実施の形態についても同様とする。
【００４８】
上記補強片１８は門形に形成してあり、前後の面２ａ，２ｂに止着した支持体３の上部並びに両側部を囲むように一体に貼り付け、この前後の面２ａ，２ｂを補強するようにしてある。更にここでは、この補強片１８の横の片１８ａに間隔をいて２つの折曲げ線１９を形成し、この線を基点に３つに折り曲げられるようにしてある。
【００４９】
補強片１８は、濾過器１をカップ４の上に装着し、袋体２を筒形に開かせたとき、この開放した姿勢を安定的に保持して湯の注ぎ込みによってその圧力及び重量を受けて変形するのを防止するものであり、前後の面２ａ，２ｂの幅方向に横の片１８ａが貼り付くことによって開口状態を維持し、縦の片１８ｂ，１８ｂが貼り付くことによって袋体の起立姿勢が保持されるようにしてある。
そして、横の片１８ａに形成した前記折り曲げ線１９が袋体の開放に従って折れ曲り、開口部１７の開放を促し、且つ確保すことになっている。
【００５０】
尚、上記縦の片１８ｂ，１８ｂは袋体２の前後の面２ａ，２ｂに直接貼り付く固定片１２と並行し、共同して補強するものとなっており、固定片のみで充分な強度が得られる場合にはこの縦の片１８ｂ，１８ｂの省略は自由である。
【００５１】
次に、図８は本発明の第３の実施の形態を示したもので、袋体２の前後の面２ａ，２ｂに門形の補強片１８を貼着する一方、支持体３の貼付け位置を下に移動させ、掛止片９と延長支持片１３の下端部を袋体２の底部１５より下に突き出すように止着した例である。  この実施形態は、補強片１８の付設によって袋体２が補強されることを踏まえて、支持体３による袋体２の支持の高さを更に高くする例を示したものである。
【００５２】
支持体３は前述したように、装着時にはカップ４の縁４ａに袋体２を支えるものとして作用するが、同時に前後の面２ａ，２ｂに直接止着される固定片１２，１２が腰のない濾紙等から成形される袋体を支えて起立姿勢を保持するように作用していることから、支持体３が下り、固定片１２の止着位置が前後の面の下方に移動すると、袋体２の上半部の支えを失うことになる結果、開口部１７が閉じたり、姿勢が崩れて注いだ湯が溢れたりする危険が生じる。
【００５３】
前記補強片１８の止着は、この問題を解決するものであり、補強を兼ねた支持体３はこの補強片１８の止着によって袋体２の下方に止着することが可能になっているのである。そして、この止着位置の移動によってカップ４に対する装着時に充分な高さに袋体２を支えることができ、底部１５を液面１６から離すことが可能となっているのである。
【図面の簡単な説明】
【００５４】
【図１】本発明に係るコーヒーの濾過器の正面図。
【図２】袋体の前後の面に止着する支持体の固定片の止着位置を説明する分解正面図。
【図３】図１のＡ−Ａ線に沿って断面とした縦断左側面図。
【図４】図３の部分拡大左側面図。
【図５】使用状態を説明する斜視図。
【図６】使用状態を説明する一部断面とした左側面図。
【図７】第２の実施形態を説明する正面図。
【図８】第３の実施形態を説明する正面図である。
【符号の説明】
【００５５】
１            濾過器
２            袋体
２ａ，２ｂ    袋体の前後の面  
３            支持体
４            コーヒーカップ
４ａ          コーヒーカップの縁
７            コーヒー粉末
９            掛止片
１１          吊り腕片
１２          固定片
１３          延長支持片
１５          袋体の底部
１６          抽出コーヒー液の液面
１７          袋体の開口部
１８          補強片
１９          折り曲げ線
【図１】
2007000480.tif 000003
【図２】
2007000480.tif 000004
【図３】
2007000480.tif 000005
【図４】
2007000480.tif 000006
【図５】
2007000480.tif 000007
【図６】
2007000480.tif 000008
【図７】
2007000480.tif 000009
【図８】
2007000480.tif 000010